(57)【特許請求の範囲】
【請求項１】
一連の印刷ヘッドと整合するように順次、駆動されるパレットアームに取り付けられたパレットを有する型式のスクリーン印刷機械におけるパレット及びパレットアームの組み合せ体において、
ａ）長手方向軸線、及び該長手方向軸線の各端部にて横方向に伸長する前縁部分及び後縁部分を有するパレットと、
ｂ）前記パレットをその長手方向軸線に沿って支持するパレットアームと、
ｃ）前記パレットの前縁又は後縁の一方に形成された少なくとも１つの縁部凹所と、前記前縁又は後縁の他方に又はそれに隣接して形成された少なくとも１つの位置決め凹所と、
ｄ）前記少なくとも１つの縁部凹所に嵌まり得るようにされた前記パレットアームに形成した少なくとも１つの固定ストッパと、
ｅ）前記少なくとも１つの固定ストッパから離れて前記パレットアームに取り付けられた少なくとも１つの位置決め手段であって、前記パレットの前記前縁又は後縁に又はそれに隣接して形成された前記少なくとも１つの位置決め凹所と相補的な形状とした位置決め手段とを備え、
前記縁部凹所から離れて前記パレットの前縁又は後縁に形成された係止凹所を更に備え、前記パレットアームが、該パレットを前記パレットアームに確実に保持し得るように前記係止凹所と協働するクランプを備える、改良に係るパレット及びパレットアームの組み合せ体。
【請求項２】
請求項１に記載のパレット及びパレットアーム組み合せ体において、
ａ）少なくとも１つの縁部凹所がパレットの前縁に形成され、
ｂ）クランプが、パレットアームの自由端の周りで、パレットアームの自由端の下方からパレットの後縁まで伸長するように取り付けられたトグルクランプであり、前記パレットに締め付け力を付与し且つパレットを前記固定ストッパに対して付勢する水平方向力を付与する、パレット及びパレットアームの組み合せ体。
【発明の詳細な説明】
【０００１】
【発明の属する技術分野】
本発明は、スクリーン印刷機械の改良、特に、かかる機械にて使用されるパレット及びパレットアームの組み合せ体に関する。
【０００２】
【従来の技術】
Ｔシャツのような衣類には、マルチ印刷ヘッドのスクリーン印刷を使用して装飾が施される。そのヘッドの数は、印刷すべき色の数に対応する。米国特許第３７９５１８９号［ジェファ（Ｊａｆｆａ）]及び米国特許第５０３１５２７号［エピンガー（Ｅｐｐｉｎｇｅｒ）］には、衣類の印刷に使用される機械の型式の例が開示されている。衣類は、パレット上に支持される一方、該パレットは、パレットアーム上にて印刷ヘッドと整合状態にするように支持されている。このパレットは、印刷が完了する迄、所望の数の印刷ヘッドを経て順次、移動される。異なる寸法の衣類は、これに対応して異なる寸法のパレットを必要とする。通常、パレットは、同一長さであるが、ある衣類のスリーブの幅から大きい体の幅まで幅が相違している。このことは、パレットをパレットアームから頻繁に取り外さなければならないことを意味する。
【０００３】
【発明が解決しようとする課題】
そのパレットアーム上におけるパレットの位置決めは、正確で且つ確実であり、連続的な印刷ヘッドとの整合状態が保たれるようにする必要がある。従来、パレットをパレットアームに取り外し可能に固着する１つの手段は、パレットの各端部に２又は３つの皿ねじを使用することであった。このことは、整合の正確さ及び整合状態を保つ点にて全く十分ではあるが、新たな組みのパレットを機械に取り付けるために長時間の労働時間を必要とする。多数の迅速解放機構が提案されている。その幾つかのものは、キー及びキー穴型の装置を使用し、パレット又はパレットアームの何れか一方がキー穴スロットを有し、他方がスロットの狭小な部分に係止することのできる相補的にくびれた頭部を有している。別の迅速解放手段は、レール及び相補的な軌道装置を使用するものであり、パレット又はパレットアームの一方は、レールを有し、他方がレールに対する相補的断面の溝軌道と、アームの長さに対して互いに整合させ得るようにその両者を係止する固着手段とを有している。これら装置の殆どにおいて、整合したパレットをパレットアームに固着するため、幾つかの翼型ナット又はボルトを締め付ける必要がある。
【０００４】
米国特許第４０３１８２５号［ジェファ（Ｊａｆｆａ）］には、パレットアームの外側にスリーブ状に嵌まるパレットが開示されており、このパレットは、パレットアームの側縁部のばねにより所定位置に保持されている。パレットは単純であるように見えるが、このパレットは、パレットアームと同様に広範囲の組み立て又は機械加工を必要とする。
【０００５】
米国特許第５５９２８７７号の一部には、迅速に取り付け且つ解放することが可能であり、またパレットを自由にするため空圧解放機構を利用するパレットも開示されている。このバレットは、共にねじ止めされる２つの板を備え、その下側板は、パレットアームの凹所及びピンとを協働してパレットを所定位置に配置する突起及びスロットを備えている。これら迅速解放装置は１つの改良ではあるが、便宜性及び操作者の手軽さの点にてこれらには短所がある。また、これらは、パレットを製造するとき追加的な製造ステップを必要とする。
【０００６】
【課題を解決するための手段】
この目的のため、本発明は、一連の印刷ヘッドと整合するように順次、駆動される、パレットアームに取り付けられるパレットを有する型式のスクリーン印刷機械内にて次のものを提供する。
【０００７】
ａ）長手方向軸線、及び長手方向の軸線の各端部にて横方向に伸長する前縁部分並びに後縁部分を有するパレットと；
ｂ）その長手方向軸線に沿って上記パレットを支持するパレットアームと；
ｃ）上記パレットの前縁又は後縁の何れかに形成された少なくとも１つの縁凹所と、上記前縁又は後縁の他方に又はその隣接する位置に配置された少なくとも１つの位置決め凹所と；
ｄ）上記少なくとも１つの縁凹所に嵌まる得るようにされた、上記パレットアームに形成した少なくとも１つの固定した位置決めストッパと；
ｅ）上記少なくとも１つの固定した位置決めストッパから離れて上記パレットアームに取り付けられた少なくとも１つの位置決め手段であって、上記パレットの上記前縁又は後縁内又はそれに隣接する位置に形成された上記少なくとも１つの位置決め凹所と相補的な形状をした少なくとも１つの位置決め手段とである。
【０００８】
本発明のパレットは、該パレットに溶接その他の方法で固定された部分が存在せず且つその上面に固定穴又は凹所が存在しない一体のパレットである点にて独創的である。
【０００９】
従来技術の迅速解放システムと異なり、本発明のパレットは、その表面に溶接して取り付け又は固着すべき何ら追加的な装置又は突出部を必要としない。
必要とされる唯一の精密機械加工は、パレットの一端の縁部に及び反対側縁部又は該反対側縁部に隣接するパレットの基部に凹所を機械加工することである。パレットは、その他の点にて、スクリーン印刷パレットについて従来のものと同一の形状及び材料とすることができる。
【００１０】
２つの位置決め点で十分であるが、３つの点を使用することが好ましい。１つの調節可能な点がパレットアームの自由端に配置され、また２つの調節可能な点がパレットがパレットアームに固着されるとき、パレット前縁に隣接して配置されることが好ましい。縁部の凹所はバレットの縁部に形成し又はパレットの上面の縁部に形成することができる。位置決め凹所がパレットの基部に形成される場合、その凹所は、後縁に隣接するパレットの下側面に形成し且つその自由端に隣接してパレットアームの表面から突き出す突起又はボルト頭に嵌まる形状とされることが好ましい。
【００１１】
パレットをその整合位置に確実に押し付けるために、凹所の表面及びパレットアームの位置決めストッパの対応する接触面は、相補的な形態にて角度を付けられ、パレットがその長手方向軸線に沿って押し付けられると共にパレットアームに押し付けられるようにする。最終的な固着力は、パレットアームの固定ストッパに当接する縁部と反対側のパレットの縁部に作用するばねクリップ又はトグルクランプにより付与することができる。
【００１２】
パレットを取り付けるためには、パレットは、位置決めストッパが凹所と整合されるようにパレットアーム上に置き、次に、ばねクリップ又はトグルを所定位置に係止するだけでよい。従来技術の装置のように何本かのボルトを締結することが必要であることと異なり、一回の締結動作のみを行えばよい。パレットの上面にねじ又はボルト穴が全く存在しないため、印刷に利用可能なパレットの表面積が従来技術のパレットよりも大きくなる。従来技術の迅速解放パレットの場合のようにパレットに取り付けられた突出部又はレールが全く存在しないため、本発明のパレットは平らに包装され且つ格納、輸送及び洗浄がより容易である。
【００１３】
【発明の実施の形態】
本発明の１つの好適な実施の形態に関して、以下，添付図面を参照して説明する。
【００１４】
パレット１０は、印刷すべき衣類に適合する寸法の平坦な鋳造アルミニウム板である。該パレットは、上面１２と、下面１１とを有している。前縁は、面取り加工面又は傾斜面１４を有する半円形の２つの凹所１３を有している。後縁はクリップ凹所１６を有している。後縁に隣接する下側面には、位置決め凹所又はキー凹所１５がある。該凹所１５は、凹所１３の間の中間点を通るパレット１０の長手方向中心線の上にて中心決めされている。
【００１５】
パレットアーム２０は、上面２１と、側部分２２とを有している。皿ボルト頭部２４がパレットアーム２０の上面２１から突き出している。該ボルト２４は上面２１の上方高さは調節可能であり、また、ねじ頭部２４の下側部にはパレット１０の凹所１３の面１４に係合する傾斜面２５がある。パレットアームの自由端に隣接して、キー突出部２６があり、該キー突出部は、プラスチックで製造し且つ取り外し可能であるよに上面２１にねじ込むことが好ましい。突出部２６は、パレット１０の下側の対応する位置決め凹所１５よりも僅かに長さが短い。突出部２６は、その中心線が同様にストッパ２４の間の中間を貫通するパレットアームの長手方向中心線の上にその中心があることが好ましい。
【００１６】
パレットアーム２０の自由端の下方には、オーバセンタートグルアーム２７と、クリップ２９とを備えるトグルクリップから成る好適な係止機構がある。クリップ２９の端部２８は、パレット１０の凹所１６内に着座する。クリップ２９の部分３０は、パレットアーム面２１の下側縁部に係合し、パレット１０の縁部凹所１６にばね圧力を付与する。クリップ２９の湾曲部３１は凹所１６に係合するクリップ２９の端部２８を介してパレット１０の後縁に対し長手方向への力を付与する。これら２つの力は、パレット１０がアーム２０の中心線と整合した状態で確実に保持されることを保障する。
【００１７】
側部２２は、トグル２７及びクリップ２９へのアクセスを向上させ得るようにアーム２０の自由端に切り欠き部分２３を有している。クリップ端部２８は、パレット１０の凹所１６と係合する状態に配置され、トグル２７はパレットを所定位置に固定するように閉じられる。ねじ２４の高さを精密に調節することにより、パレット１０の長手方向への整合状態を調節することができる。
【００１８】
トグル機構に代えて、パレットの後縁の中心の凹所に係合するばね負荷式ストッパをパレットアームの自由端に配置することができる。かかる構成においては、突出部２６及び凹所１５を不要とすることができる。この構造におけるパレットはばねストッパに対して押し付け、ストッパ２４を凹所１３内に配置し、その後に解放して、ばねがパレットを所定位置に押し込むようにする。
【００１９】
パレットの凹所１３、１５、１６は全て摩耗し易い。摩耗面をパレットの凹所内に嵌まる板に設けて、パレットの面と板の隣接面が面一となるようにすることができる。このことは、摩耗がその機能に影響を与えるとき、パレットの摩耗面を交換することを可能にする。凹所１３、１５及び/又は１６を有する板は皿ねじ又は接着剤により板に固着することができる。
【００２０】
図４及び図５に図示した実施の形態において、１つの代替的な固定装置が図示されている。パレット３５は２つの位置にてパレットアーム４０に対して保持されている。パレット３５の前縁は、中心決め溝３９を含む矩形の傾斜凹所３８を有している。パレットアーム４０は、パレット３５の傾斜凹所３８に係合する傾斜した表面縁部５０を有するストッパ４７を備えている。ストッパ４７のピン４９が中心決め溝３９に係合する。ストッパ４７は、皿ねじ４８によりパレットアームに固定されている。
【００２１】
第二の固着位置が図４に図示されており、この場合、パレット３５の下面の凹所３６にはグリップ部４２が係合する。凹所３６は、内側縁部に楔形溝３７を有し、この楔形溝にはグリップ部４２の楔形リブ４３が係合する。グリップ部４２はねじ付き軸４１によりパレットアーム４０に取り付けられている。ハンドル４４を回して軸４１を回転させると、グリップ部４２が締め付けられ又は緩む。この代替法は、パレットの後縁に何らクランプを備えることを必要としない。パレット３５はグリップ部４２が凹所３６に入るようにパレットアーム４０の上に配置され、次に、ピン３９が溝３９に嵌まるようにパレットをストッパ４７に対して付勢し、次に、ハンドル４４を回してグリップ部を締め付け、リブ４３が溝３７内に押し込まれるようにする。
【００２２】
【発明の効果】
上記の説明から、本発明は次のものを提供することが理解できる。
１）追加的な装置又は突出部を備えない、簡単に機械加工可能なパレット；  ２）パレットアームに簡単に組み付け得るパレット；
３）その上面にねじ穴が存在しないため、印刷するための大きい自由面を有するバレット；
４）パレット及びアームは、在庫の構成要素で製造することができ、このことは、製造コストを削減することになる。
【図面の簡単な説明】
【図１】本発明の組み立てたパレットアーム及びパレットの等角図である。
【図２】パレットアームの図である。
【図３】３Ａは本発明のパレットの上面の図である。３Ｂは本発明のパレットの下面の図である。
【図４】本発明の第二の実施の形態のパレット及びパレットアームの断面図である。
【図５】図４に図示したものと同一の実施の形態のパレット及びその関係したパレットアームの前縁の部分分解図である。
【符号の説明】
１０  パレット                  １１  パレットの下面
１２  パレットの上面            １３  半円形の凹所
１４  面取り加工面／傾斜面      １５  位置決め凹所／キー凹所
１６  クリップ凹所              ２０  パレットアーム
２１  パレットアームの上面      ２２  パレットアームの側部分
２４  皿ボルト頭部／ストッパ    ２５  傾斜面
２６  キー突出部                ２７  オーバセンタートグルアーム
２８  クリップの端部            ２９  クリップ
３０  クリップの部分            ３１  クリップの湾曲部
【図１】
0003926067.tif 000002
【図２】
0003926067.tif 000003
【図３】
0003926067.tif 000004
【図４】
0003926067.tif 000005
【図５】
0003926067.tif 000006